(57)【要約】 【課題】様々な方法で白色の色材を利用可能な画像処理装置、画像処理方法、プログラムおよび被記録部材を提供する。【解決手段】本発明の画像処理装置は、データ入力手段と決定手段と第１生成手段と第２生成手段と制御手段とを備える。データ入力手段は、有色版データと白色制御版データとを入力する。決定手段は、白色制御版データに基づいて、当該白色制御版データにより特定される白色効果を実現するための画像記録動作を決定する。第１生成手段は、有色版データに基づいて、有色色材の記録量を表す有色色材画像データを生成する。第２生成手段は、白色制御版データに基づいて、白色色材の記録量を表す白色色材画像データを生成する。制御手段は、決定手段により決定された画像記録動作に応じて、有色色材画像データと白色色材画像データとに応じた画像を被記録部材の片面または両面に記録するための制御を行う。【選択図】図４
2015225312.tif 000002
【特許請求の範囲】
【請求項１】
有色の画像データである有色版データと、白色色材を用いて被記録部材に付与する視覚的または触覚的な効果を示す白色効果の種類を特定するための画像データである白色制御版データとを入力するデータ入力手段と、
前記白色制御版データに基づいて、当該白色制御版データにより特定される前記白色効果を実現するための画像記録動作を決定する決定手段と、
前記有色版データに基づいて、有色色材の記録量を表す有色色材画像データを生成する第１生成手段と、
前記白色制御版データに基づいて、白色色材の記録量を表す白色色材画像データを生成する第２生成手段と、
前記決定手段により決定された前記画像記録動作に応じて、前記有色色材画像データと前記白色色材画像データとに応じた画像を前記被記録部材の片面または両面に記録するための制御を行う制御手段と、を備える、
画像処理装置。
【請求項２】
前記決定手段は、前記白色制御版データに設定される濃度値と、前記白色効果の種類と、当該白色効果を実現するために前記白色色材を付着させる方法を表す形態とを対応付けた白色効果選択情報に基づいて、入力された前記白色制御版データにより特定される前記白色効果を実現するための前記画像記録動作を決定する、
請求項１に記載の画像処理装置。
【請求項３】
前記決定手段は、前記白色効果選択情報と、前記画像記録動作に用いられる前記被記録部材の種類と、に基づいて、入力された前記白色制御版データにより特定される前記白色効果を実現するための前記画像記録動作を決定する、
請求項２に記載の画像処理装置。
【請求項４】
前記第２生成手段は、前記白色効果選択情報を参照して、前記白色制御版データから前記白色色材画像データを生成する、
請求項２または３に記載の画像処理装置。
【請求項５】
入力された前記有色版データと前記白色制御版データを蓄積する蓄積手段と、
前記有色色材画像データと前記白色色材画像データに基づいて、前記被記録部材に画像を記録する画像記録手段とを備え、
前記制御手段は、前記決定手段により決定された前記画像記録動作に応じて、前記蓄積手段、前記第１生成手段、前記第２生成手段および前記画像記録手段を制御する、
請求項１乃至４のうちの何れか１項に記載の画像処理装置。
【請求項６】
有色の画像データである有色版データと、白色色材を用いて被記録部材に付与する視覚的または触覚的な効果を示す白色効果の種類を特定するための画像データである白色制御版データとを入力するデータ入力ステップと、
前記白色制御版データに基づいて、当該白色制御版データを実現するための画像記録動作を決定する決定ステップと、
前記有色版データに基づいて、有色色材の記録量を表す有色色材画像データを生成する第１生成ステップと、
前記白色制御版データに基づいて、白色色材の記録量を表す白色色材画像データを生成する第２生成ステップと、
前記決定ステップにより決定された前記画像記録動作に応じて、前記有色色材画像データと前記白色色材画像データとに応じた画像を前記被記録部材の片面または両面に記録するための制御を行う制御ステップと、を含む、
画像処理方法。
【請求項７】
画像処理プログラムであって、
請求項６に記載の画像処理方法を少なくとも実行するためのプログラム。
【請求項８】
請求項７に記載のプログラムをコンピュータが読み取り可能に記録する被記録部材。
【発明の詳細な説明】
【技術分野】
【０００１】
本発明は、画像処理装置、画像処理方法、プログラムおよび被記録部材に関する。
【背景技術】
【０００２】
紙等の被記録部材の上に、ＣＭＹＫなどの有色の色材（トナー）で画像を記録すると共に、更にその表面に、第５の色材（トナー）で画像を記録することができるプリンタおよび該プリンタに適応したプリンタコントローラ等を含む画像処理装置が知られている。第５の色材（トナー）の具体例としては、白色の色材（トナー）がある。
【０００３】
第５の色材として白色の色材を採用する場合、有色の色材で記録された画像の表面に白色の色材が記録されると、有色の色材で記録された画像が白色の色材で隠蔽されて見えなくなる。このため、被記録部材の表面に、有色の色材で画像を記録し、被記録部材の裏面のうち表面の画像に対応する部分に白色の色材を記録する動作モードを提供する技術が知られている（例えば特許文献１参照）。これは、透明な被記録部材を前提に、被記録部材の表面に形成されたカラー画像に対する背面からの影響を白色の色材に遮蔽させるという技術である。
【発明の概要】
【発明が解決しようとする課題】
【０００４】
しかしながら、従来技術においては、白色の色材の利用方法は限定的であり、様々な方法で白色の色材を利用するための仕組みは存在しなかった。
【課題を解決するための手段】
【０００５】
上述した課題を解決し、目的を達成するために、本発明は、有色の画像データである有色版データと、白色色材を用いて被記録部材に付与する視覚的または触覚的な効果を示す白色効果の種類を特定するための画像データである白色制御版データとを入力するデータ入力手段と、前記白色制御版データに基づいて、当該白色制御版データにより特定される前記白色効果を実現するための画像記録動作を決定する決定手段と、前記有色版データに基づいて、有色色材の記録量を表す有色色材画像データを生成する第１生成手段と、前記白色制御版データに基づいて、白色色材の記録量を表す白色色材画像データを生成する第２生成手段と、前記決定手段により決定された前記画像記録動作に応じて、前記有色色材画像データと前記白色色材画像データとに応じた画像を前記被記録部材の片面または両面に記録するための制御を行う制御手段と、を備える画像処理装置である。
【発明の効果】
【０００６】
本発明によれば、様々な方法で白色の色材を利用することができる。
【図面の簡単な説明】
【０００７】
【図１】図１は、画像処理システムの構成の一例を示す図である。
【図２】図２は、コントローラ部のハードウェア構成の一例を示す図である。
【図３】図３は、エンジン部のハードウェア構成の一例を示す図である。
【図４】図４は、コントローラ部の機能構成の一例を示す図である。
【図５】図５は、白色効果選択テーブルの一例を示す図である。
【図６】図６は、裏打ち効果の印刷例を表す模式図である。
【図７】図７は、裏打ち効果の別の印刷例を表す模式図である。
【図８】図８は、文様効果の印刷例を表す模式図である。
【図９】図９は、地紋効果の印刷例を表す模式図である。
【図１０】図１０は、地紋効果の別の印刷例を表す模式図である。
【図１１】図１１は、ハーフトーン処理選択テーブルの一例を示す図である。
【図１２】図１２は、実施形態の画像処理方法の一例を示すフローチャートである。
【図１３】図１３は、白色トナー画像データを生成する方法の一例を示すフローチャートである。
【図１４】図１４は、印刷面判定部の動作の一例を示すフローチャートである。
【図１５】図１５は、入力される有色版データおよび白色制御版データの一例を示す図である。
【発明を実施するための形態】
【０００８】
以下、添付図面を参照しながら、本発明に係る画像処理装置、画像処理方法、プログラムおよび被記録部材の実施形態を詳細に説明する。
【０００９】
図１は、実施形態の画像処理システム１００の構成の一例を示す図である。本実施形態の画像処理システム１００は、画像処理装置１及びホスト装置１０を備える。画像処理装置１及びホスト装置１０は、有線又は無線によって互いに通信可能な状態に接続されている。ホスト装置１０は、画像データを画像処理装置１に送信する。画像処理装置１は、コントローラ部２及びエンジン部３を備える。コントローラ部２は、ホスト装置１０から画像データを受信する。画像データには、有色の画像データである有色版データ、および、白色色材（この例では白色トナー）を用いて紙（転写紙）等の被記録部材に付与する視覚的または触覚的な効果を示す白色効果の種類を特定するための画像データである白色制御版データがある。コントローラ部２は、ホスト装置１０から受信した画像データを画像処理して色材画像データを生成し、当該色材画像データをエンジン部３に送信する。色材画像データは、印刷する画像の各画素の色材の記録量を表すデータである。色材画像データには、有色色材画像データ及び白色色材画像データがある。有色色材画像データ及び白色色材画像データの詳細については後述する。エンジン部３は、コントローラ部２から色材画像データを受信して、色材画像データに応じた画像を紙等の被記録部材に記録する。エンジン部３は、請求項の「画像記録手段」に対応している。
【００１０】
図２は、画像処理装置１のコントローラ部２のハードウェア構成の一例を示す図である。コントローラ部２は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ＨＤＤ（Ｈａｒｄ  Ｄｉｓｋ  Ｄｒｉｖｅ）１０４、ネットワークＩ／Ｆ（Ｉｎｔｅｒｆａｃｅ）１０５、操作表示パネル１０６及びバス１０７を備える。ＣＰＵ１０１、ＲＯＭ１０２、ＲＡＭ１０３、ＨＤＤ１０４、ネットワークＩ／Ｆ（Ｉｎｔｅｒｆａｃｅ）１０５及び操作表示パネル１０６は、バス１０７を介して互いに接続されている。
【００１１】
ＣＰＵ１０１は、プログラムを実行する。ＲＯＭ１０２には、システム起動プログラム等が記憶されている。システム起動プログラムは、画像処理装置１のシステムを制御するシステムプログラムを起動するプログラムである。ＲＡＭ１０３は、ＣＰＵ１０１がプログラムを実行するときに使用するメモリである。ＨＤＤ１０４は、画像処理装置１の補助記憶装置である。ＨＤＤ１０４は、画像処理装置１が画像を処理するための画像処理プログラム等のアプリケーションプログラム、画像処理装置１のシステムプログラム、及び各種のデータ等を記憶する。なお、ＨＤＤ１０４は、光学ドライブやフラッシュメモリ等でもよい。光学ドライブが読み出し又は書き込みする被記録部材は、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）及びＤＶＤ（Ｄｉｇｉｔａｌ  Ｖｅｒｓａｔｉｌｅ  Ｄｉｓｋ）等である。ネットワークＩ／Ｆ１０５は、ホスト装置１０等の外部機器と各種の情報を送受信する。操作表示パネル１０６は、ユーザからの操作入力を受け付ける。
【００１２】
なお、ＲＯＭ１０２に記憶されているプログラムは、インストール可能な形式又は実行可能な形式のファイルでＣＤ−ＲＯＭ、ＣＤ−Ｒ、ＤＶＤ等のコンピュータで読み取り可能な被記録部材に記録して提供するように構成してもよい。
【００１３】
図３は、画像処理装置１のエンジン部３のハードウェア構成の一例を示す図である。本実施形態のエンジン部３は、プリンタ部１２、給紙部１３、スキャナ部１４及び排紙部１５を備える。
【００１４】
プリンタ部１２は、カートリッジ１２１、感光体ドラム１２２、帯電部１２３、現像部１２４、中間転写ベルト１２５、二次転写ローラ１２６及び定着部１２７を備える。定着部１２７は、加圧ローラ１２７１及び定着ベルト１２７２を備える。
【００１５】
カートリッジ１２１は、５つのカートリッジ１２１Ｃ、１２１Ｍ、１２１Ｙ、１２１Ｋ、及び１２１Ｗを備える。４つのカートリッジ１２１Ｃ、１２１Ｍ、１２１Ｙ及び１２１Ｋは、有色色材を収容する。有色色材は、例えば有色トナーである。カートリッジ１２１Ｃは、シアン（Ｃ）色の色材を収容する。カートリッジ１２１Ｍは、マゼンタ（Ｍ）色の色材を収容する。カートリッジ１２１Ｙは、イエロー（Ｙ）色の色材を収容する。カートリッジ１２１Ｋは、黒（Ｋ）色の色材を収容する。カートリッジ１２１Ｗは、白色（Ｗ）色材を収容する。本実施形態の白色色材は、ＳｉＯ２等の白色の着色剤を含む樹脂から生成される色材である。白色色材は、例えば白色トナーである。なお、以下では、カートリッジ１２１Ｃ、１２１Ｍ、１２１Ｙ、１２１Ｋ、及び１２１Ｗのうち任意のカートリッジを「カートリッジ１２１」という。
【００１６】
感光体ドラム１２２は、Ｃ色、Ｍ色、Ｙ色、Ｋ色、及びＷ色の各色材の種類に対応した５つの感光体ドラム１２２Ｃ、１２２Ｍ、１２２Ｙ、１２２Ｋ、及び１２２Ｗを備える。なお、以下では、感光体ドラム１２２Ｃ、１２２Ｍ、１２２Ｙ、１２２Ｋ、及び１２２Ｗ、のうち任意の感光体ドラムを「感光体ドラム１２２」という。感光体ドラム１２２は後述の帯電部１２３により一様に帯電させられたのち、コントローラ部２から受信した色材画像データに応じた静電潜像が感光体ドラム１２２の表面に形成される。感光体ドラム１２２の表面に形成された静電潜像に、後述の現像部１２４が色材を付着させることにより画像が形成される。
【００１７】
帯電部１２３は、Ｃ色、Ｍ色、Ｙ色、Ｋ色、及びＷ色の各色材の種類に対応した５つの帯電部１２３Ｃ、１２３Ｍ、１２３Ｙ、１２３Ｋ、及び１２３Ｗを備える。なお、以下では、帯電部１２３Ｃ、１２３Ｍ、１２３Ｙ、１２３Ｋ、及び１２３Ｗのうち任意の帯電部を「帯電部１２３」という。帯電部１２３は、電圧を印加させられて、感光体ドラム１２２の表面を帯電させる。
【００１８】
現像部１２４は、Ｃ色、Ｍ色、Ｙ色、Ｋ色、及びＷ色の各色材の種類に対応した５つの現像部１２４Ｃ、１２４Ｍ、１２４Ｙ、１２４Ｋ、及び１２４Ｗを備える。なお、以下では、現像部１２４Ｃ、１２４Ｍ、１２４Ｙ、１２４Ｋ、及び１２４Ｗのうち任意の現像部を「現像部１２４」という。現像部１２４は、カートリッジ１２１の色材を帯電部１２３によって帯電された感光体ドラム１２２に付着させることにより、各感光体ドラム１２２の表面に画像を形成する。
【００１９】
中間転写ベルト１２５は、感光体ドラム１２２に当接しながら搬送される。これにより、感光体ドラム１２２に形成された画像が中間転写ベルト１２５に転写される。
【００２０】
二次転写ローラ１２６は、後述する給紙部１３から搬送された被記録部材を、中間転写ベルト１２５との間に挟み込むことにより、中間転写ベルト１２５に形成された画像を被記録部材に転写し、画像が形成された被記録部材を定着部１２７に送る。
【００２１】
定着部１２７は、加圧ローラ１２７１及び定着ベルト１２７２を備える。定着部１２７は、二次転写ローラ１２６から送られた被記録部材に画像を定着させる。加圧ローラ１２７１は、定着ベルト１２７２に被記録部材を押し当て、熱を付与することにより、被記録部材に色材を付着させることによって画像を定着させる。定着ベルト１２７２は、加圧ローラ１２７１との間に被記録部材を押し当てることにより、被記録部材に画像を定着させる。
【００２２】
続いて、給紙部１３のハードウェア構成を説明する。給紙部１３は、給紙トレイ１３１、給紙ローラ１３２、給紙ベルト１３３及びレジストローラ１３４を備える。給紙部１３は、用紙等の被記録部材をプリンタ部１２に供給する。
【００２３】
給紙トレイ１３１は、用紙等の被記録部材を収容するものである。給紙ローラ１３２は、給紙トレイ１３１に収容されている用紙を取り出し、給紙ベルト１３３に載置するものである。給紙ベルト１３３は、用紙を搬送しレジストローラ１３４に差し入れるものである。レジストローラ１３４は、用紙を中間転写ベルト１２５と二次転写ローラ１２６との間に送り入れるものである。
【００２４】
ここでは、詳細な図示は省略するが、給紙部１３は、切換え部と、排紙部と、反転部と、再給紙トレイと、を有する。切換え部は、定着部１２７で画像が定着された被記録部材を、送り先を切り替えることで、排紙部１５または反転部に送るものである。排紙部１５は、被記録部材を排出して、格納するものである。反転部は、被記録部材をスイッチバックして先後端を入れ替えるものである。再給紙トレイは、先後端を入れ替えられた被記録部材を一時的に収容するものである。さらに、給紙部１３は、再給紙トレイに収容されている被記録部材を取り出し、給紙ローラ１３２と同様に給紙ベルト１３３に載置するための給紙ローラを有する。
【００２５】
スキャナ部１４は、コンタクトガラス１４１及び読取センサ１４２を備える。スキャナ部１４は、用紙等に記載された画像情報を読み取る。コンタクトガラス１４１には、画像が記載された用紙が載置される。読取センサ１４２は、コンタクトガラス１４１に載置された用紙に記載された画像から画像情報を読み取る。
【００２６】
次に、コントローラ部２の構成について説明する。図４は、本実施形態のコントローラ部２の機能構成の一例を示す図である。本実施形態のコントローラ部２は、受信部５０１、印刷面判定部２１、受信データ蓄積部２２、制御部２３、第１生成部５０２、第２生成部５０３、ＴＲＣ５１４及びハーフトーンエンジン５１５を備える。また、コントローラ部２は、パターン情報５０５、白色効果選択テーブル５０８及びハーフトーン処理選択テーブル５１７を、不図示の記憶部に記憶する。
【００２７】
受信部５０１は、画像データとジョブコマンドとを少なくとも含む印刷データをホスト装置１０から受信する。本実施形態では、コントローラ部２が受信する印刷データは、有色版データを少なくとも含み、画像に白色効果を与える場合は、更に白色制御版データを含む。
【００２８】
前述したように、有色版データは有色の画像データであり、画素毎にＲＧＢ等の有色の濃度値を規定した画像データである。この有色版データでは、ユーザによる色の指定に応じて、１画素の有色の濃度値を、基本カラー毎に８ビットで表現する。例えば、１画素の有色の濃度値を、ＲＧＢを利用して表現する場合、Ｒを８ビット、Ｇを８ビット、Ｂを８ビットで表現する。この例では有色版データは、ベクタ形式の画像データである。
【００２９】
また、前述したように、白色制御版データは、白色色材（この例では白色トナー）を用いて紙等の被記録部材に付与する視覚的または触覚的な効果を示す白色効果の種類を特定するための画像データである。この白色制御版データは、有色版データと同様に、画素毎に８ビットで「０」〜「２５５」の範囲の濃度値で表され、この濃度値に、白色効果の種類が対応付けられる（濃度値は１６ビットや３２ビット、又は０〜１００％で表してもよい）。この例では、白色制御版データは、ベクタ形式の画像データである。白色制御版データに設定される濃度値と、白色効果の種類との対応関係については後述する。
【００３０】
また、同一の白色効果を与えたい範囲には、実際に付着する白色トナーの濃度と関係なく同一の値が設定されるため、領域を示すデータがなくても必要に応じて白色制御版データから容易に白色効果を与える領域が特定できる。すなわち、白色制御版データによって、白色効果の種類と、白色効果を与える領域とが表される（領域を表すデータを別途付与してもよい）。
【００３１】
受信部５０１は、有色版データを受信データ蓄積部２２に送信する。また、受信部５０１は、印刷データに白色制御版データが含まれる場合、白色制御版データを受信データ蓄積部２２および印刷面判定部２１に送信する。尚、以下では印刷データに白色制御版データが含まれるものとして説明する。また、この例では、受信部５０１は、有色版データと白色制御版データとを入力する機能を有していると考えることもでき、請求項の「データ入力手段」に対応している。
【００３２】
印刷面判定部２１は、白色制御版データに基づいて、当該白色制御版データにより特定される白色効果を実現するための画像記録動作（画像を被記録部材に記録（形成）する動作）を決定する。より具体的には、印刷面判定部２１は、後述の白色効果選択テーブル５０８に基づいて、入力された白色制御版データにより特定される白色効果を実現するための画像記録動作を決定する。本実施形態では、印刷面判定部２１は、白色制御版データを言語解釈して、印刷ページごとに、通常印刷、すなわち表面印刷のみで済むのか、裏面印刷も伴うのか、あるいは裏面印刷のみで済むのかを判定し、その判定結果を制御部２３に送信する。この例では、印刷面判定部２１は、請求項の「決定手段」に対応している。
【００３３】
また、受信データ蓄積部２２は、有色版データおよび白色制御版データを、印刷面判定部２１による判定が終わるまで一時的に蓄積する。この例では、受信データ蓄積部２２は請求項の「蓄積手段」に対応している。例えば、受信データ蓄積部２２は、後述の制御部２３の制御の下、蓄積していた有色版データを後述の第１生成部５０２に送信することもできるし、蓄積していた白色制御版データを後述の第２生成部５０３に送信することもできる。
【００３４】
制御部２３は、印刷面判定部２１の判定に応じて（印刷面判定部２１により決定された画像記録動作に応じて）、後述の第１生成部５０２が生成する有色色材画像データと後述の第２生成部５０３が生成する白色色材画像データとに応じた画像を被記録部材の片面または両面に記録するための制御を行う。より具体的には、制御部２３は、印刷面判定部２１の判定に応じて、受信データ蓄積部２２、第１生成部５０２、第２生成部５０３およびエンジン部３を制御する。この例では、制御部２３は、請求項の「制御手段」に対応している。
【００３５】
第１生成部５０２は、有色版データに基づいて、有色色材（この例では有色トナー）の記録量を表す有色色材画像データ（以下、「有色トナー画像データ」と称する）を生成する。この例では、第１生成部５０２は、有色版データを言語解釈して、ベクタ形式で表現される画像データをラスタ形式に変換するとともに、ＲＧＢ形式等で表現された色空間をＣＭＹＫ形式の色空間に変換することで、有色トナー画像データを生成する。有色トナー画像データは、画像の各画素の有色トナーの記録量を表すデータである。本実施形態では、第１生成部５０２は、１画素の濃度値を８ビットで表現した有色トナー画像データをＣＭＹＫの色毎に出力し、当該有色トナー画像データを第２生成部５０３及びＴＲＣ５１４に送信する。また、第１生成部５０２は、言語解釈した際に抽出された画像領域毎の文字、写真及びグラフィックス等のオブジェクトの種類を示す情報、当該オブジェクトの座標を含むオブジェクト情報を出力し、当該オブジェクト情報をＴＲＣ５１４及びハーフトーンエンジン５１５に送信する。この例では、第１生成部５０２は、請求項の「第１生成手段」に対応している。
【００３６】
第２生成部５０３は、白色制御版データに基づいて、白色色材（この例では白色トナー）の記録量を表す白色色材画像データ（以下、「白色トナー画像データ」と称する）を生成する。この例では、図４に示すように、第２生成部５０３は、変換部５０４及び生成部５０６を備える。変換部５０４は、白色制御版データを言語解釈して、ベクタ形式からラスタ形式に変換する。変換部５０４は、ラスタ形式の白色制御版データを生成部５０６に送信する。生成部５０６は、変換部５０４からラスタ形式の白色制御版データを受信し、第１生成部５０２からラスタ形式の有色トナー画像データを受信する。
【００３７】
生成部５０６は、パターン情報５０５及び白色効果選択テーブル５０８を参照して、白色制御版データと有色トナー画像データとを用いて白色トナー画像データを生成する。白色トナー画像データは、画像の各画素の白色トナーの記録量を表すデータである。
【００３８】
パターン情報５０５は、文様，文字列及び地紋等のパターンの画像データである。生成部５０６は、当該パターンを含む白色トナー画像データを生成する際にパターン情報５０５を参照する。
【００３９】
図５は、本実施形態の白色効果選択テーブル５０８の一例を示す図である。白色効果選択テーブル５０８は、白色制御版データに設定される濃度値と、白色効果の種類と、当該白色効果を実現するために白色トナーを付着させる方法を表す形態とを対応付けたテーブル形式の情報であるが、その形式は任意であり、テーブル形式に限られるものではない。この例では、白色効果選択テーブル５０８は、請求項の「白色効果選択情報」に対応している。図５の例では、白色効果選択テーブル５０８は、濃度（％）、濃度値（代表値、数値範囲）、効果及び形態のフィールドを有する。
【００４０】
濃度（％）は、白色効果を選択するための情報（見方を変えれば、白色版データに対して設定された白色効果を特定するための情報）である。図５の例では、濃度（％）は２％単位である。濃度値（代表値、数値範囲）は、濃度（％）を０〜２５５の数値で表した情報である。数値範囲は、２％単位の濃度に対応する濃度値の範囲である。代表値は、当該数値範囲の濃度値を代表する値である。効果は、濃度（％）単位に対応付けられている白色表面効果の種類を表す情報である。
【００４１】
形態は、当該効果を実現するために白色トナーをどのような形態で付着させるかを示す情報である。
【００４２】
白色効果選択テーブル５０８では、濃度（％）単位に白色効果が対応付けられている。具体的には、濃度が９６％以上となる濃度値の範囲（「２４３」〜「２５５」）に対して、裏打ち効果が対応付けられている。また、濃度が４４〜４８％となる濃度値の範囲（「１１０」〜「１２４」）に対して文様パターン効果が対応付けられている。また、濃度が３６％〜４０％となる濃度値（「９０」〜「１０４」）の範囲には、地紋文字効果が対応付けられている。また、濃度が２８％〜３２％となる濃度値（「６９」〜「８４」）の範囲には、地紋パターン効果が対応付けられている。
【００４３】
図６は、裏打ち効果の印刷例を表す模式図である。本実施形態では、「２４８」〜「２５５」の濃度値（白色制御版データの画素値）に対しては、「裏打ち１」を示す白色効果が対応付けられている（図５参照）。「裏打ち１」を示す白色効果に対しては、図６の（Ａ）に示すように、被記録部材の裏面全面にわたる白色トナーのベタ印刷（裏面全面塗潰し）を示す形態が対応付けられている（併せて図５参照）。
【００４４】
また、本実施形態では、「２４３」〜「２４７」の濃度値に対しては、「裏打ち２」を示す白色効果が対応付けられている（図５参照）。「裏打ち２」を示す白色効果に対しては、図６の（Ｂ）に示すように、被記録部材の非白地、即ち有色トナー画像（上述の有色トナー画像データに基づいて有色トナーで現像される画像）の白地（Ｃ＝Ｍ＝Ｙ＝Ｋ＝０）以外の領域に対応する被記録部材の裏面の領域への白色トナーのベタ印刷（裏面非白地塗潰し）を示す形態が対応付けられている（併せて図５参照）。
【００４５】
裏打ち効果は、通常、図６の（Ａ）および（Ｂ）に示すように、被記録部材の表面に有色トナー画像、裏面に白色トナー画像（上述の白色トナー画像データに基づいて白色トナーで現像される画像）を印刷して実現する。ただし、裏打ち効果は、透明な被記録部材で効果を発揮するので、図７の（Ａ）および（Ｂ）に示すように、有色トナー画像も被記録部材の裏面に印刷して実現することもできる。
【００４６】
例えば、印刷面判定部２１は、白色効果選択テーブル５０８と、画像記録動作に用いられる被記録部材の種類（実際に使用する被記録部材の種類）とに基づいて、入力された白色制御版データによって特定される白色効果を実現するための画像記録動作を決定することもできる。例えば入力された白色制御版データに含まれる描画オブジェクトに設定された濃度値に対応する白色効果が「裏打ち効果」であり、かつ、画像記録動作に用いられる被記録部材が透明な被記録部材である場合、印刷面判定部２１は、当該描画オブジェクトの有色トナー画像を被記録部材の裏面に印刷し、さらにその上に、白色効果選択テーブル５０８において「裏打ち効果」に対応付けられた形態で白色トナー画像を印刷するという画像記録動作を決定することができる（この場合、裏面印刷のみで済む）。また、例えば入力された白色制御版データに含まれる描画オブジェクトに設定された濃度値に対応する白色効果が「裏打ち効果」であり、かつ、画像記録動作に用いられる被記録部材が透明でない場合、印刷面判定部２１は、当該描画オブジェクトの有色トナー画像を被記録部材の表面に印刷し、被記録部材の裏面に、白色効果選択テーブル５０８において「裏打ち効果」に対応付けられた形態で白色トナー画像を印刷するという画像記録動作を決定することができる（この場合、両面印刷が必要となる）。なお、印刷面判定部２１は、実際に使用する被記録部材の種類を、例えばエンジン部３に問い合わせることもできる。
【００４７】
図８は、文様パターン効果の印刷例を表す模式図である。本実施形態では、「１１０」〜「１１４」の濃度値に対しては、「文様パターン１」を示す白色効果が対応付けられている（図５参照）。この例では、文様パターン１は波状の文様パターンである。また、本実施形態では、「１１５」〜「１１９」の濃度値に対しては、「文様パターン２」を示す白色効果が対応付けられている（図５参照）。この例では、文様パターン２は格子状の文様パターンである。さらに、本実施形態では、「１２０」〜「１２４」の濃度値に対しては、「文様パターン３」を示す白色効果が対応付けられている（図５参照）。この例では、文様パターン３は円状の文様パターンである。
【００４８】
本実施形態では、円状の文様パターンである「文様パターン３」を示す白色効果に対しては、図８の（Ａ）に示すように、被記録部材の表面に印刷した有色トナー画像の上に、円状の文様パターンを表す白色トナー画像を重ねて印刷することを示す形態が対応付けられている。また、格子状の文様パターンである「文様パターン２」を示す白色効果に対しては、図８の（Ｂ）に示すように、被記録部材の表面に印刷した有色トナー画像の上に、格子状の文様パターンを表す白色トナー画像を重ねて印刷することを示す形態が対応付けられている。
【００４９】
図９は、地紋パターン効果の印刷例を表す模式図である。本実施形態では、「６９」〜「７３」の濃度値に対しては、「地紋パターン１」を示す白色効果が対応付けられている（図５参照）。この例では、地紋パターン１は波状の地紋パターンである。また、本実施形態では、「７４」〜「７９」の濃度値に対しては、「地紋パターン２」を示す白色効果が対応付けられている（図５参照）。この例では、地紋パターン２は格子状の地紋パターンである。さらに、本実施形態では、「８０」〜「８４」の濃度値に対しては、「地紋パターン３」を示す白色効果が対応付けられている（図５参照）。この例では、地紋パターン３は円状の地紋パターンである。
【００５０】
本実施形態では、円状の地紋パターンである「地紋パターン３」を示す白色効果に対しては、図９の（Ａ）に示すように、被記録部材の表面のうち、白地（Ｃ＝Ｍ＝Ｙ＝Ｋ＝０）の領域に、円状の地紋パターンを表す白色トナー画像を印刷することを示す形態が対応付けられている。この例では、非白地、即ち有色トナー画像の白地以外の領域に対しては、白色トナー画像が印刷されないので、有色トナー画像と白色トナー画像とが重なることはない。また、本実施形態では、格子状の地紋パターンである「地紋パターン２」を示す白色効果に対しては、図９の（Ｂ）に示すように、被記録部材の表面のうち、白地（Ｃ＝Ｍ＝Ｙ＝Ｋ＝０）の領域に、格子状の地紋パターンを表す白色トナー画像を印刷することを示す形態が対応付けられている。
【００５１】
また、図５の白色効果選択テーブルにおいて、「９０」〜「９４」の濃度値に対しては、「地紋文字１」を示す白色効果が対応付けられ、「９５」〜「９９」の濃度値に対しては、「地紋文字２」を示す白色効果が対応付けられ、「１００」〜「１０４」の濃度値に対しては、「地紋文字３」を示す白色効果が対応付けられている。この地紋文字による白色効果は、上述の地紋パターン（地紋パターン１〜３）による白色効果に用いられる地紋パターンが文字列に置き換わるものなので、印刷例は省略する。
【００５２】
なお、地紋パターン効果は、通常、図９の（Ａ）および（Ｂ）に示すように、被記録部材の表面に有色トナー画像および白色トナー画像を印刷して実現する。ただし、地紋パターン効果において、有色トナー画像と白色トナー画像は重ならないので、透明な被記録部材であれば、図１０の（Ａ）および（Ｂ）に示すように、有色トナー画像と白色トナー画像を被記録部材の裏面に印刷して実現することもできる。
【００５３】
図４の説明を続ける。生成部５０６は、図５の白色効果選択テーブルを参照し、白色制御版データの各画素の濃度値に対応する白色効果および形態に応じて、白色トナーを付着させるための白色トナー画像データ（例えばパターン画像やベタ画像等）を生成する。生成部５０６は、必要に応じて、有色トナー画像データを参照して、白色トナー画像データを生成する。また、生成部５０６は、生成した白色トナー画像データをＴＲＣ５１４に送信する。
【００５４】
ＴＲＣ５１４は、オブジェクト情報を第１生成部５０２から受信し、ＣＭＹＫ各色の有色トナー画像データを第１生成部５０２から受信し、白色トナー画像データを第２生成部５０３から受信する。ＴＲＣ５１４は、オブジェクト情報が示すオブジェクトの種類に応じて、キャリブレーションにより生成された１Ｄ−ＬＵＴのガンマカーブによるガンマ補正を有色トナー画像データ及び白色トナー画像データに対して行う。ＴＲＣ５１４は、ガンマ補正後のＣＭＹＫ各色の有色トナー画像データ、及びガンマ補正後の白色トナー画像データをハーフトーンエンジン５１５に送信する。
【００５５】
ハーフトーンエンジン５１５は、ガンマ補正後のＣＭＹＫ各色の有色トナー画像データ、及びガンマ補正後の白色トナー画像データをＴＲＣ５１４から受信し、オブジェクト情報を第１生成部５０２から受信する。また、ハーフトーンエンジン５１５は、ハーフトーン処理選択テーブルを図示されていない記憶部から読み出す。
【００５６】
図１１は、第１実施形態のハーフトーン処理選択テーブルの一例を示す図である。ハーフトーン処理選択テーブルは、オブジェクト及びトナーの種類毎にハーフトーン処理を行う際のパラメータ（線数、形状及び角度）を定義したテーブルである。例えば、オブジェクトの種類が写真であり、トナーの種類がシアン（Ｃ）色である場合、ハーフトーンエンジン５１５は、線数を１９０、形状を網点パターン、角度を７２度としてハーフトーン処理を行う。ハーフトーン処理は、画像に含まれるオブジェクトの種類に応じて、当該オブジェクトの領域を構成する画素の画素値を２ビットで表すデータ形式に変換する処理である。なお、当該２ビットは一例であり、他のビット数でもよい。
【００５７】
ハーフトーンエンジン５１５は、オブジェクト情報が示すオブジェクトの種類、及びトナー画像データのトナーの種類を使用して、ハーフトーン処理選択テーブルからハーフトーン処理に使用するパラメータ（線数、形状及び角度）を決定する。より具体的には、ハーフトーンエンジン５１５は、まず、オブジェクト情報からオブジェクトの種類を示す画素毎の属性情報を取得する。次に、ハーフトーンエンジン５１５は、当該画素の属性情報に対応するトナー画像データの画素のトナーの種類を取得する。次に、ハーフトーンエンジン５１５は、オブジェクトの種類を示す画素毎の属性情報と、当該画素のトナーの種類を使用して、ハーフトーン処理選択テーブルからハーフトーン処理に使用するパラメータ（線数、形状及び角度）を決定する。ハーフトーンエンジン５１５は、当該パラメータを使用してトナー画像データにハーフトーン処理を行う。ハーフトーンエンジン５１５は、ハーフトーン処理後のトナー画像データ（ＣＭＹＫ各色の有色トナー画像データ、及び白色トナー画像データ）をエンジン部３に送信する。
【００５８】
図１２は、本実施形態の画像処理方法の一例を示すフローチャートである。受信部５０１は、上述の印刷データをホスト装置１０から受信する（ステップＳ１１）。受信部５０１は、当該印刷データに含まれるＣＭＹＫ各色の有色版データを受信データ蓄積部２２に送信する。受信部５０１は、当該印刷データに含まれる白色制御版データを印刷面判定部２１および受信データ蓄積部２２に送信する。
【００５９】
受信データ蓄積部２２は、有色版データおよび白色制御版データを一時的に蓄積する（ステップＳ１２）。また、印刷面判定部２１は、白色制御版データを言語解釈して、印刷ページごとに、通常印刷、すなわち表面印刷のみで済むのか、裏面印刷も伴うのか、あるいは裏面印刷のみで済むのかの判定を行う（ステップＳ１３）。この判定方法の具体的な内容については後述する。印刷面判定部２１が表面印刷のみで済むと判定した場合（ステップＳ１４：Ｙｅｓ）、受信データ蓄積部２２は、蓄積していた有色版データを第１生成部５０２に送信する。また、蓄積していた白色制御版データを、第２生成部５０３に送信する（ステップＳ１５）。
【００６０】
第１生成部５０２は、有色版データを言語解釈して、上述の有色トナー画像データを生成するとともに、言語解釈した際に得られた上述のオブジェクト情報を生成する（ステップＳ１６）。第１生成部５０２は、当該有色トナー画像データを第２生成部５０３の生成部５０６及びＴＲＣ５１４に送信し、当該オブジェクト情報をＴＲＣ５１４及びハーフトーンエンジン５１５に送信する。
【００６１】
第２生成部５０３は、白色制御版データから、上述の白色トナー画像データを生成する（ステップＳ１７）。
【００６２】
ここで、上述のステップ１７の処理の詳細について説明する。図１３は、本実施形態の白色トナー画像データの生成方法の一例を示すフローチャートである。第２生成部５０３（変換部５０４）は、描画オブジェクトに濃度値を対応付ける白色制御版データのデータ形式を、当該描画オブジェクトの座標に対応する画素の濃度値で表すデータ形式に変換する（ステップＳ５１）。すなわち、第２生成部５０３（変換部５０４）は、白色制御版データのデータ形式をラスタ形式に変換する。
【００６３】
第２生成部５０３（変換部５０４）は、全ての描画オブジェクトについて、ステップＳ５１の処理をしたか否かを判定する（ステップＳ５２）。全ての描画オブジェクトについてステップＳ５１の処理をしていない場合（ステップＳ５２：Ｎｏ）、次の描画オブジェクトを選択（ステップＳ５３）し、ステップＳ５１に戻る。全ての描画オブジェクトについてステップＳ５１の処理をした場合（ステップＳ５２：Ｙｅｓ）は、各画素に濃度値を対応させたデータ形式であるラスタ形式の白色制御版データを出力する（ステップＳ５４）。変換部５０４は、当該ラスタ形式の白色版制御データを生成部５０６に送信する。生成部５０６は、当該ラスタ形式の白色制御版データを受信し、ＣＭＹＫ各色の有色トナー画像データを第１生成部５０２から受信する。生成部５０６は、上述の白色効果選択テーブル５０８及びパターン情報５０５を参照して、当該ラスタ形式の白色制御版データ及びＣＭＹＫ各色の有色トナー画像データから白色トナー画像データを生成する（ステップＳ５５）。
【００６４】
図１２に戻って説明を続ける。ＴＲＣ５１４は、オブジェクト情報を第１生成部５０２から受信し、ＣＭＹＫ各色の有色トナー画像データを第１生成部５０２から受信し、白色トナー画像データを第２生成部５０３から受信する。ＴＲＣ５１４は、オブジェクト情報が示すオブジェクトの種類に応じて、キャリブレーションにより生成された１Ｄ−ＬＵＴのガンマカーブによるガンマ補正を有色トナー画像データ及び白色トナー画像データに行う（ステップＳ１８）。ＴＲＣ５１４は、ガンマ補正後のＣＭＹＫ各色の有色トナー画像データ、及びガンマ補正後の白色トナー画像データをハーフトーンエンジン５１５に送信する。
【００６５】
ハーフトーンエンジン５１５は、ガンマ補正後のＣＭＹＫ各色の有色トナー画像データ、及びガンマ補正後の白色トナー画像データをＴＲＣ５１４から受信し、オブジェクト情報を第１生成部５０２から受信する。ハーフトーンエンジン５１５は、オブジェクト情報が示すオブジェクトの種類、及びトナー画像データのトナーの種類を使用して、上述のハーフトーン処理選択テーブルからハーフトーン処理に使用するパラメータ（線数、形状及び角度）を決定する。ハーフトーンエンジン５１５は、当該パラメータを使用してトナー画像データにハーフトーン処理を行い、エンジン部３に送信する（ステップＳ１９）。また、エンジン部３は、受信したトナー画像データに応じた画像を被記録部材に記録して、上述の排紙部に格納する（ステップＳ２０：Ｙｅｓ、ステップＳ２１）。
【００６６】
一方、印刷面判定部２１が裏面印刷も伴うと判定した場合（ステップＳ１４：Ｎｏ、ステップＳ３０：Ｙｅｓ）、印刷面判定部２１が表面印刷のみで済むと判定した場合と同様に、上述のステップＳ１５〜ステップＳ１９の処理が行われる。そして、エンジン部３は、受信したトナー画像データに応じた画像を被記録部材に記録し、その記録済みの被記録部材を、上述の反転部を経由して上述の再給紙トレイに格納する（ステップＳ２０：Ｎｏ、ステップＳ３１）。
【００６７】
次に、受信データ蓄積部２２は、再び、蓄積していた有色版データを第１生成部５０２に送信する。また、蓄積していた白色制御版データを、第２生成部５０３に送信する（ステップＳ３２）。第１生成部５０２は、上述のステップＳ１６と同様に、上述の有色トナー画像データを生成するとともに、言語解釈した際に得られた上述のオブジェクト情報を生成する（ステップＳ３３）。第１生成部５０２は、当該有色トナー画像データを第２生成部５０３の生成部５０６に送信し、当該オブジェクト情報をＴＲＣ５１４及びハーフトーンエンジン５１５に送信する。
【００６８】
第２生成部５０３は、白色制御版データから、上述の白色トナー画像データを生成する（ステップＳ３４）。但し、この場合、第２生成部５０３が生成する白色トナー画像データは、上述のステップＳ１７では文様パターン効果および地紋パターン効果に関するもの（被記録部材の表面に白色トナーを付着させて実現する効果に関するもの）で、ステップＳ３４では、裏打ち効果に関するもの（被記録部材の裏面に白色トナーを付着させて実現する効果に関するもの）である。
【００６９】
ＴＲＣ５１４は、オブジェクト情報を第１生成部５０２から受信し、白色トナー画像データを第２生成部５０３から受信する。ＴＲＣ５１４は、オブジェクト情報が示すオブジェクトの種類に応じて、キャリブレーションにより生成された１Ｄ−ＬＵＴのガンマカーブによるガンマ補正を白色トナー画像データに対して行う（ステップＳ３５）。ＴＲＣ５１４は、ガンマ補正後の白色トナー画像データをハーフトーンエンジン５１５に送信する。
【００７０】
ハーフトーンエンジン５１５は、ガンマ補正後の白色トナー画像データをＴＲＣ５１４から受信し、オブジェクト情報を第１生成部５０２から受信する。ハーフトーンエンジン５１５は、オブジェクト情報が示すオブジェクトの種類、及びトナー画像データのトナーの種類（この例では白色トナー）を使用して、上述のハーフトーン処理選択テーブルからハーフトーン処理に使用するパラメータ（線数、形状及び角度）を決定する。ハーフトーンエンジン５１５は、当該パラメータを使用して白色トナー画像データに対してハーフトーン処理を行い、エンジン部３に送信する（ステップＳ３６）。また、エンジン部３は受信した白色トナー画像データに応じた画像を上述の再給紙トレイに格納した被記録部材に記録して、上述の排紙部に格納する（ステップＳ３７）。尚、白色トナー画像データは、被記録部材のスイッチバックに応じて、途中で鏡像に変換される。
【００７１】
一方、印刷面判定部２１が裏面印刷のみで済むと判定した場合（ステップＳ１４：Ｎｏ、ステップＳ３０：Ｎｏ）、受信データ蓄積部２２は、蓄積していた有色版データを第１生成部５０２に送信する。また、蓄積していた白色制御版データを、第２生成部５０３に送信する（ステップＳ４０）。第１生成部５０２は、上述のステップＳ１６と同様に、上述の有色トナー画像データを生成するとともに、言語解釈した際に得られた上述のオブジェクト情報を生成する（ステップＳ４１）。第１生成部５０２は、当該有色トナー画像データを第２生成部５０３の生成部５０６及びＴＲＣ５１４に送信し、当該オブジェクト情報をＴＲＣ５１４及びハーフトーンエンジン５１５に送信する。
【００７２】
第２生成部５０３は、白色制御版データから、上述のステップＳ１７と同様に上述の白色トナー画像データを生成する（ステップＳ４２）。ＴＲＣ５１４は、上述のステップＳ１８と同様に、オブジェクト情報を第１生成部５０２から受信し、ＣＭＹＫ各色の有色トナー画像データを第１生成部５０２から受信し、白色トナー画像データを第２生成部５０３から受信する。ＴＲＣ５１４は、オブジェクト情報が示すオブジェクトの種類に応じて、キャリブレーションにより生成された１Ｄ−ＬＵＴのガンマカーブによるガンマ補正を有色トナー画像データ及び白色トナー画像データに対して行う（ステップＳ４３）。ＴＲＣ５１４は、ガンマ補正後のＣＭＹＫ各色の有色トナー画像データ、及びガンマ補正後の白色トナー画像データをハーフトーンエンジン５１５に送信する。
【００７３】
ハーフトーンエンジン５１５は、上述のステップＳ１９と同様に、ガンマ補正後のＣＭＹＫ各色の有色トナー画像データ、及びガンマ補正後の白色トナー画像データをＴＲＣ５１４から受信し、オブジェクト情報を第１生成部５０２から受信する。ハーフトーンエンジン５１５は、オブジェクト情報が示すオブジェクトの種類、及びトナー画像データのトナーの種類を使用して、上述のハーフトーン処理選択テーブルからハーフトーン処理に使用するパラメータ（線数、形状及び角度）を決定する。ハーフトーンエンジン５１５は、当該パラメータを使用してトナー画像データにハーフトーン処理を行い、エンジン部３に送信する（ステップＳ４４）。また、エンジン部３は受信したトナー画像データに応じた画像を被記録部材に記録して、上述の排紙部に格納する（ステップＳ４５）。尚、トナー画像データは、裏面記録のため、途中で鏡像に変換される。
【００７４】
次に、図１４を用いて、印刷面判定部２１の動作の一例を説明する。図１４は、印刷面判定部２１の動作の一例を示すフローチャートである。尚、以下では、図１５に示す有色版データおよび白色制御版データを含む印刷データが入力されるものとする。図１５の例では、白色制御版データのうち、符号７０１が付された領域は「裏打ち効果」に対応する濃度値が設定された領域であり、符号７０２が付された領域は「地紋効果」に対応する濃度値が設定された領域であり、符号７０３が付された領域は「文様効果」に対応する濃度値が設定された領域である。
【００７５】
図１４に示すように、印刷面判定部２１は、初めに初期化を行って、裏面印刷が必要であることを示す裏面印刷フラッグ、および、表面印刷が必要であることを示す表面印刷フラッグをＯＦＦに設定する（ステップＳ７１）。次に、印刷面判定部２１は、白色効果選択テーブル５０８を参照して、入力された白色制御版データに含まれる対象オブジェクトに設定された濃度値に対応する白色効果が「裏打ち効果」であるか否かを判断する（ステップＳ７２）。
【００７６】
上述のステップＳ７２において、対象オブジェクトに設定された濃度値に対応する白色効果が「裏打ち効果」である場合（ステップＳ７２：Ｙｅｓ）、印刷面判定部２１は、裏裏面印刷フラッグをＯＮにする（ステップＳ７３）。なお、例えば印刷面判定部２１は、実際に使用する被記録部材の種類を、例えばエンジン部３に問い合わせ、実際に使用する被記録部材が透明ではない場合は、表面印刷フラッグもＯＮにすることもできる。一方、実際に使用する被記録部材が透明である場合は、裏面印刷フラッグのみをＯＮにするという具合である。
【００７７】
上述のステップＳ７２において、対象オブジェクトに設定された濃度値に対応する白色効果が「裏打ち効果」でない場合（ステップＳ７２：Ｎｏ）、印刷面判定部２１は、対象オブジェクトに設定された濃度値に対応する白色効果が「文様効果」または「地紋効果」であるか否かを判断し（ステップＳ７４）、「文様効果」または「地紋効果」である場合（ステップＳ７４：Ｙｅｓ）、表面印刷フラッグをＯＮにする（ステップＳ７５）。
【００７８】
次に、印刷面判定部２１は、白色制御版データに含まれる全ての描画オブジェクトについて、上述のステップＳ７２〜７５の処理をしたか否かを判定する（ステップＳ７９）。全ての描画オブジェクトについて上述のステップＳ７２〜７５の処理をしていない場合（ステップＳ７９：Ｎｏ）、次の描画オブジェクトを選択し（ステップＳ７６）、上述のステップＳ７２以降の処理を繰り返す。
【００７９】
また、全ての描画オブジェクトについて上述のステップＳ７２〜７５の処理をした場合（ステップＳ７９：Ｙｅｓ）は、裏面印刷フラッグおよび表面印刷フラッグの両方がＯＮであるか否かを判断する（ステップＳ７７）。両方ＯＮの場合は（ステップＳ７７：Ｙｅｓ）、両面印刷が必要（裏面印刷も伴う）と判断する（ステップＳ８２）。また、両方ＯＮでない場合は（ステップＳ７７：Ｎｏ）、裏面印刷フラッグのみがＯＮであるか否かを判断する（ステップＳ７８）。裏面印刷フラッグのみがＯＮの場合は（ステップＳ７８：Ｙｅｓ）、裏面印刷のみで済むと判断し（ステップＳ８１）、表面印刷フラッグのみがＯＮの場合は（ステップＳ７８：Ｎｏ）、表面印刷で済むと判断する（ステップＳ８０）。
【００８０】
以上に説明したように、本実施形態では、白色トナーを用いて被記録部材に付与する視覚的または触覚的な効果を示す白色効果の種類を特定するための画像データである白色制御版データに基づいて、当該白色制御版データにより特定される白色効果を実現するための画像記録動作を決定する。より具体的には、白色制御版データに設定される濃度値と、白色効果の種類と、当該白色効果を実現するために白色トナーを付着させる方法を表す形態とを対応付けた白色効果選択テーブルに基づいて、入力された白色制御版データにより特定される白色効果を実現するための画像記録動作を決定する。これにより、様々な方法で白色の色材を利用することができる。
【００８１】
尚、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。
【００８２】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００８３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。また、本発明を上記記憶媒体に適用する場合、その記憶媒体には、先に説明したフローチャートに対応するプログラムコードが格納されることになる。
【００８４】
以上、本発明の実施形態を説明したが、上述の実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【符号の説明】
【００８５】
１      画像処理装置
２      コントローラ部
３      エンジン部
１０    ホスト装置
２１    印刷面判定部
２２    受信データ蓄積部
２３    制御部
５０１  受信部
５０２  第１生成部
５０３  第２生成部
５０４  変換部
５０５  パターン情報
５０６  生成部
５０８  白色効果選択テーブル
５１４  ＴＲＣ
５１５  ハーフトーンエンジン
【先行技術文献】
【特許文献】
【００８６】
【特許文献１】特開２００７−０８３６３４号公報
【図１】
2015225312.tif 000003
【図２】
2015225312.tif 000004
【図３】
2015225312.tif 000005
【図４】
2015225312.tif 000006
【図５】
2015225312.tif 000007
【図１１】
2015225312.tif 000008
【図１２】
2015225312.tif 000009
【図１３】
2015225312.tif 000010
【図１４】
2015225312.tif 000011
【図１５】
2015225312.tif 000012
【図６】
2015225312.tif 000013
【図７】
2015225312.tif 000014
【図８】
2015225312.tif 000015
【図９】
2015225312.tif 000016
【図１０】
2015225312.tif 000017